(57)【要約】【課題】効果的に光の演出を実現することができる電子機器および電子機器用筐体アセンブリを提供する。【解決手段】ヒンジブラケット２２上には光源４３が配置される。ヒンジブラケット２２上で光源の前方には光拡散部材４４が配置される。こうした電子機器用筐体アセンブリでは、ヒンジブラケット２２の働きで第２筐体１６は第１筐体１４に対して開閉動作を実現する。第２筐体１６はヒンジブラケット２２に対して回転する。第２筐体１６は第１筐体１４に対して姿勢を変化させる。ヒンジブラケット２２は回転しない。光源４３の位置は変化しない。第２筐体１６の姿勢変化にも拘わらず光の位置は維持される。見映えのよい電子機器用筐体すなわち電子機器１１が実現される。【選択図】図６
2008153860.tif 000002
【特許請求の範囲】
【請求項１】
第１筐体と、第１筐体の表側平坦面に平行な第１回転軸回りで回転自在に第１筐体に連結されるヒンジブラケットと、ヒンジブラケットの表面に重ね合わせられて、第１回転軸に直交する仮想平面内で延びる第２回転軸回りで回転自在にヒンジブラケットに連結される第２筐体と、ヒンジブラケット上に配置される光源と、ヒンジブラケット上で光源の前方に配置される光拡散部材とを備えることを特徴とする電子機器用筐体アセンブリ。
【請求項２】
第１筐体と、第１筐体の表側平坦面に平行な第１回転軸回りで回転自在に第１筐体に連結されるヒンジブラケットと、裏面でヒンジブラケットの表面に重ね合わせられて、第１回転軸に直交する仮想平面内で延びる第２回転軸回りで回転自在にヒンジブラケットに連結される第２筐体と、ヒンジブラケットに形成されて、第２筐体の裏面に向き合わせられる第１開口から、第２筐体の裏面から直立する壁面に区画される第２開口まで延びる光路と、第１開口に向き合わせられる位置で第２筐体上に配置される光源とを備えることを特徴とする電子機器用筐体アセンブリ。
【請求項３】
請求項２に記載の電子機器用筐体アセンブリにおいて、前記光路内に配置されて、第１開口から第２開口に向かって光を反射させる反射面をさらに備えることを特徴とする電子機器用筐体アセンブリ。
【請求項４】
請求項３に記載の電子機器用筐体アセンブリにおいて、前記反射面には凹凸形状が形成されることを特徴とする電子機器用筐体アセンブリ。
【請求項５】
請求項２に記載の電子機器用筐体アセンブリにおいて、前記光源の光路上で前記第２筐体に固定されて、表面に複数列の盛り上がりを有する光拡散部材をさらに備えることを特徴とする電子機器用筐体アセンブリ。
【請求項６】
請求項２に記載の電子機器用筐体アセンブリにおいて、前記第２回転軸に同心の仮想円上に複数個の前記光源が配置されることを特徴とする電子機器用筐体アセンブリ。
【請求項７】
請求項２に記載の電子機器用筐体アセンブリにおいて、前記第２回転軸に同心の仮想円上に複数個の前記第１開口が配置されることを特徴とする電子機器用筐体アセンブリ。
【請求項８】
請求項２に記載の電子機器用筐体アセンブリにおいて、前記仮想円上に所定の中心角おきに複数個の前記光源が配置され、前記仮想円上に当該所定の中心角おきに複数個の前記第１開口が配置されることを特徴とする電子機器用筐体アセンブリ。
【請求項９】
第１筐体と、第１筐体の表側平坦面に平行な第１回転軸回りで回転自在に第１筐体に連結されるヒンジブラケットと、ヒンジブラケットの表面に重ね合わせられて、第１回転軸に直交する仮想平面内で延びる第２回転軸回りで回転自在にヒンジブラケットに連結される第２筐体と、ヒンジブラケット上に配置される光源と、ヒンジブラケット上で光源の前方に配置される光拡散部材とを備えることを特徴とする電子機器。
【請求項１０】
第１筐体と、第１筐体の表側平坦面に平行な第１回転軸回りで回転自在に第１筐体に連結されるヒンジブラケットと、裏面でヒンジブラケットの表面に重ね合わせられて、第１回転軸に直交する仮想平面内で延びる第２回転軸回りで回転自在にヒンジブラケットに連結される第２筐体と、ヒンジブラケットに形成されて、第２筐体の裏面に向き合わせられる第１開口から、第２筐体の裏面から直立する壁面に区画される第２開口まで延びる光路と、第１開口に向き合わせられる位置で第２筐体上に配置される光源とを備えることを特徴とする電子機器。
【発明の詳細な説明】
【技術分野】
【０００１】
本発明は、例えば携帯電話端末といった電子機器に関し、特に、第１筐体の表側平坦面に平行な第１回転軸回りで回転自在に第１筐体に連結され、第１回転軸に直交する仮想平面内で延びる第２回転軸回りで回転自在に第２筐体を支持するヒンジブラケットを備える電子機器に関する。
【背景技術】
【０００２】
折り畳み式携帯電話端末では本体筐体の表側平坦面にディスプレイ用筐体が重ね合わせられる。第１回転軸回りでディスプレイ用筐体が回転すると、携帯電話端末は開かれる。ダイヤルキーといった操作キーやディスプレイパネルの画面が現れる。このとき、ディスプレイ用筐体はヒンジブラケット上で第２回転軸回りに回転することができる。ディスプレイパネルの画面は縦長画面から横長画面に変化することができる。
【特許文献１】特開２００６−１１５１０８号公報
【特許文献２】特開２０００−２５３１２５号公報
【発明の開示】
【発明が解決しようとする課題】
【０００３】
携帯電話端末では光の演出が模索される。例えば着信や音楽に応じて光の点灯や点滅が実現される。このとき、前述の携帯電話端末でディスプレイ用筐体に光源が組み入れられると、ディスプレイ用筐体の回転に伴って発光位置は移動する。期待される通りに良好な光の演出が得られない。
【０００４】
本発明は、上記実状に鑑みてなされたもので、効果的に光の演出を実現することができる電子機器および電子機器用筐体アセンブリを提供することを目的とする。
【課題を解決するための手段】
【０００５】
上記目的を達成するために、第１発明によれば、第１筐体と、第１筐体の表側平坦面に平行な第１回転軸回りで回転自在に第１筐体に連結されるヒンジブラケットと、ヒンジブラケットの表面に重ね合わせられて、第１回転軸に直交する仮想平面内で延びる第２回転軸回りで回転自在にヒンジブラケットに連結される第２筐体と、ヒンジブラケット上に配置される光源と、ヒンジブラケット上で光源の前方に配置される光拡散部材とを備えることを特徴とする電子機器用筐体アセンブリが提供される。
【０００６】
こうした電子機器用筐体アセンブリでは、ヒンジブラケットの働きで第２筐体は第１筐体に対して開閉動作を実現する。第２筐体はヒンジブラケットに対して回転する。第２筐体は第１筐体に対して姿勢を変化させる。ヒンジブラケットは回転しない。光源の位置は変化しない。第２筐体の姿勢変化にも拘わらず光の位置は維持される。見映えのよい電子機器用筐体すなわち電子機器が実現される。
【０００７】
第２発明によれば、第１筐体と、第１筐体の表側平坦面に平行な第１回転軸回りで回転自在に第１筐体に連結されるヒンジブラケットと、ヒンジブラケットの表面に重ね合わせられて、第１回転軸に直交する仮想平面内で延びる第２回転軸回りで回転自在にヒンジブラケットに連結される第２筐体と、ヒンジブラケット上に配置される光源と、ヒンジブラケット上で光源の前方に配置される光拡散部材とを備えることを特徴とする電子機器が提供される。こうした電子機器では、前述と同様に、第２筐体の姿勢変化にも拘わらず光の位置は維持される。見映えのよい電子機器が実現される。
【０００８】
第３発明によれば、第１筐体と、第１筐体の表側平坦面に平行な第１回転軸回りで回転自在に第１筐体に連結されるヒンジブラケットと、裏面でヒンジブラケットの表面に重ね合わせられて、第１回転軸に直交する仮想平面内で延びる第２回転軸回りで回転自在にヒンジブラケットに連結される第２筐体と、ヒンジブラケットに形成されて、第２筐体の裏面に向き合わせられる第１開口から、第２筐体の裏面から直立する壁面に区画される第２開口まで延びる光路と、第１開口に向き合わせられる位置で第２筐体上に配置される光源とを備えることを特徴とする電子機器用筐体アセンブリが提供される。
【０００９】
こうした電子機器用筐体アセンブリでは、前述と同様に、ヒンジブラケットの働きで第２筐体は第１筐体に対して開閉動作を実現する。第２筐体はヒンジブラケットに対して回転する。第２筐体は第１筐体に対して姿勢を変化させる。このとき、第１開口から第２開口まで光路が延びる。第１開口に向き合わせられる位置で第２筐体上に光源が配置される。第２筐体の姿勢変化にも拘わらず光の位置は維持される。見映えのよい電子機器用筐体すなわち電子機器が実現される。
【００１０】
こうした電子機器用筐体アセンブリは、光路内に配置されて、第１開口から第２開口に向かって光を反射させる反射面をさらに備えればよい。反射面には凹凸形状が形成されればよい。こうした反射面によれば第１開口から第２開口に向かって光は導かれる。凹凸形状の働きで広い範囲で光は第２開口を通過することができる。
【００１１】
電子機器用筐体アセンブリは、光源の光路上で第２筐体に固定されて、表面に複数列の盛り上がりを有する光拡散部材をさらに備えてもよい。盛り上がりの働きで広い範囲で光はヒンジブラケットに導かれる。
【００１２】
以上のような電子機器用筐体アセンブリでは、第２回転軸に同心の仮想円上に複数個の光源が配置されればよい。同様に、第２回転軸に同心の仮想円上に複数個の第１開口が配置されればよい。電子機器用筐体アセンブリでは、仮想円上に所定の中心角おきに複数個の光源が配置され、仮想円上に当該所定の中心角おきに複数個の第１開口が配置されればよい。
【００１３】
第４発明によれば、第１筐体と、第１筐体の表側平坦面に平行な第１回転軸回りで回転自在に第１筐体に連結されるヒンジブラケットと、裏面でヒンジブラケットの表面に重ね合わせられて、第１回転軸に直交する仮想平面内で延びる第２回転軸回りで回転自在にヒンジブラケットに連結される第２筐体と、ヒンジブラケットに形成されて、第２筐体の裏面に向き合わせられる第１開口から、第２筐体の裏面から直立する壁面に区画される第２開口まで延びる光路と、第１開口に向き合わせられる位置で第２筐体上に配置される光源とを備えることを特徴とする電子機器が提供される。こうした構成によれば、見映えのよい電子機器が実現される。
【発明の効果】
【００１４】
以上のように本発明によれば、効果的に光の演出を実現することができる電子機器および電子機器用筐体アセンブリが提供される。
【発明を実施するための最良の形態】
【００１５】
以下、添付図面を参照しつつ本発明の一実施形態を説明する。
【００１６】
図１は本発明に係る電子機器の一具体例すなわち折り畳み式携帯電話端末１１を概略的に示す。この携帯電話端末１１は送話器１２と受話器１３とを備える。送話器１２は第１筐体すなわち本体筐体１４を備える。本体筐体１４内にはプリント基板（図示されず）が組み込まれる。周知の通り、プリント基板には例えばＣＰＵ（中央処理演算装置）やメモリといった処理回路が実装される。送話器１２の表側平坦面にはオンフックボタン１５ａやオフフックボタン１５ｂ、ダイヤルキー１５ｃといった入力ボタンが埋め込まれる。入力ボタンの操作に応じてＣＰＵは様々な処理を実行する。本体筐体１４は例えばＡＢＳといった強化樹脂材料から成型されればよい。
【００１７】
受話器１３は第２筐体すなわちディスプレイ用筐体１６を備える。ディスプレイ用筐体１６には液晶ディスプレイ（ＬＣＤ）パネルユニット１７といった平面ディスプレイパネルユニットが組み込まれる。ディスプレイ用筐体１６の表側平坦面にはディスプレイ用開口１８が区画される。ＬＣＤパネルユニット１７の画面はディスプレイ用開口１８に臨む。ＬＣＤパネルユニット１７の画面にはＣＰＵの処理動作に応じて様々なテキストやグラフィックが表示される。ディスプレイ用筐体１６は例えばＡＢＳといった強化樹脂材料から成型されればよい。
【００１８】
本体筐体１４の表側平坦面には送話口１９が区画される。送話口１９内にはマイクが組み込まれる。ディスプレイ用筐体１６の表側平坦面には受話口２１が区画される。受話口２１内にはスピーカが組み込まれる。通話にあたって携帯電話端末１１の使用者はマイクから音声を入力する。スピーカは通話相手の音声を再生する。
【００１９】
ディスプレイ用筐体１６にはヒンジブラケット２２が連結される。連結にあたってヒンジ２３が利用される。ヒンジ２３は本体筐体１４およびヒンジブラケット２２の間で第１回転軸ＨＸ回りに回転を実現する。第１回転軸ＨＸは本体筐体１４の表側平坦面に平行に延びる。
【００２０】
ヒンジブラケット２２の表面にはディスプレイ用筐体１６の裏面が重ね合わせられる。ディスプレイ用筐体１６は第２回転軸ＲＸ回りで回転自在にヒンジブラケット２２に連結される。第２回転軸ＲＸは、第１回転軸ＨＸに直交する仮想平面内で延びる。同時に、第２回転軸ＲＸはヒンジブラケット２２の表面に交差する。ここでは、交差角は９０度に設定される。こうしてディスプレイ用筐体１６は第１回転軸ＨＸ回りで本体筐体１４に対して回転することができる。
【００２１】
いま、携帯電話端末１１が開き状態を確立すると、送話器１２および受話器１３はともに正面を向く。縦置きの送話器１２に対して縦長の画面が確立される。携帯電話端末１１の使用者はＬＣＤパネルユニット１７の画面を見ながらダイヤルキー１５ｃといった入力ボタンを確認することができる。ディスプレイ用筐体１６は第１回転軸ＨＸ回りで回転する。回転に応じてディスプレイ用筐体１６は本体筐体１４の表側平坦面に重ね合わせられることができる。携帯電話端末１１は閉じられる。折り畳み状態すなわち閉じ状態が確立される。
【００２２】
例えば携帯電話端末１１の開き状態ではディスプレイ用筐体１６は第２回転軸ＲＸ回りで回転することができる。縦長の画面を確立する直立姿勢から時計回りすなわち第１方向に９０度の回転角でディスプレイ用筐体１６が回転すると、図２に示されるように、第１回転姿勢が確立される。ＬＣＤパネルユニット１７は横長の画面を実現する。反対に、ディスプレイ用筐体１６が第２回転軸ＲＸ回りで直立姿勢から反時計回りすなわち第２方向に９０度の回転角で回転すると、図３に示されるように、第２回転姿勢が確立される。ＬＣＤパネルユニット１７は横長の画面を実現する。
【００２３】
図４に示されるように、ディスプレイ用筐体１６の裏面には回転機構２５が組み込まれる。この回転機構２５は前述の第２回転軸ＲＸに同心に延びる中空軸２６を備える。中空軸２６は不動にディスプレイ用筐体１６に固定される。中空軸２６には中空軸２６回りで相対回転自在に環状部材２７が装着される。環状部材２７は中空軸２６に対してその軸方向に相対変位不能に連結される。すなわち、環状部材２７の離脱は防止される。この環状部材２７にヒンジブラケット２２が固定される。ヒンジブラケット２２および環状部材２７の間で中空軸２６回りに相対回転は規制される。こうして中空軸２６および環状部材２７の相対回転に基づきディスプレイ用筐体１６およびヒンジブラケット２２の相対回転は実現される。
【００２４】
環状部材２７の外縁には中心角９０度の間隔で３つの窪み２８が形成される。窪み２８は中空軸２６の軸心すなわち第２回転軸ＲＸに向かって窪む。窪み２８の輪郭は例えば弓形に設定される。その一方で、環状部材２７の外縁には弓形の突片２９が向き合わせられる。例えば３本の伸張ばね３１の働きで突片は中空軸２６の軸心すなわち第２回転軸ＲＸに向かって押し付けられる。突片２９は窪み２８に受け入れられる。こうして突片２９および窪み２８の働きでディスプレイ用筐体１６およびヒンジブラケット２２の相対回転は所望の位置で規制される。いわゆるクリック感が実現される。
【００２５】
図５に示されるように、ヒンジブラケット２２はブラケット本体３３を備える。ブラケット本体３３はディスプレイ用筐体１６の裏面に重ね合わせられる。ブラケット本体の表面は前述の回転機構２５に連結される。ブラケット本体３３の裏面にはブラケットカバー３４が覆い被さる。ヒンジブラケット２２にはディスプレイ用筐体１６の裏面から直立する壁面２２ａが形成される。壁面２２ａにはカバー３５が嵌め込まれる。カバー３５は例えば半透明の樹脂材料から形成されればよい。カバー３５は光を透過させる。カバー３５は、壁面２２ａに区画される１対の開口３６に覆い被さる。
【００２６】
図６はブラケット本体３３の裏面の構造を示す。ブラケット本体３３の裏面には１対の光源ユニット４１が配置される。光源ユニット４１は開口３６に向き合わせられる。光源ユニット４１および開口３６は、第２回転軸ＲＸに同心の仮想円上に例えば９０度の間隔で配置される。光源ユニット４１はプリント基板４２を備える。プリント基板４２上には光源すなわちＬＥＤ（発光ダイオード）４３が実装される。ＬＥＤ４３の前方には光拡散部材４４が配置される。光拡散部材４４は、ＬＥＤ４３から出力される光を開口３６に向かって均一に拡散する。
【００２７】
プリント基板４２には配線４５の一端が接続される。配線４５はヒンジブラケット２２内を通り抜ける接続配線４６に束ねられる。接続配線４６は前述の中空軸２６の内部空間を通り抜ける。こうして接続配線４６はディスプレイ用筐体１６内のプリント基板（図示されず）に接続される。同時に、接続配線４６はヒンジ２３の軸心に沿ってヒンジ２３の中空空間を通り抜ける。こうして接続配線４６は本体筐体１４内のプリント基板（図示されず）に接続される。こうした接続配線４６の働きで本体筐体１４内のプリント基板からディスプレイ用筐体１６内のプリント基板に向けて電力は供給される。配線４５は本体筐体１４内のプリント基板に接続されてもよくディスプレイ用筐体１６内のプリント基板に接続されてもよい。こうして配線４５を介してプリント基板４２すなわちＬＥＤ４３に電流は供給される。
【００２８】
例えば閉じ状態の携帯電話端末１１では、図７に示されるように、ヒンジブラケット２２の開口３６からディスプレイ用筐体１６の背面に光が漏れ出る。ディスプレイ用筐体１６が第２回転軸ＲＸ回りでヒンジブラケット２２に対して回転すると、図８に示されるように、ディスプレイ用筐体１６は例えば第２回転姿勢を確立する。ヒンジブラケット２２は回転しない。ディスプレイ用筐体１６の姿勢変化にも拘わらず光の位置は維持される。効果的な光の演出が実現される。見映えのよい携帯電話端末１１が実現される。
【００２９】
図９は本発明の第２実施形態に係る携帯電話端末１１ａの構造を概略的に示す。この携帯電話端末１１ａではカバー３５に反射面５１が結合される。ブラケット本体３４上で光源ユニット３１は省略される。こうした反射面５１の確立にあたってカバー３５は所定の光路５２を形成する。光路５２は、図１０に示されるように、ディスプレイ用筐体１６の裏面に向き合わせられる開口５３から開口３６まで延びる。反射面５１には凹凸形状が形成される。
【００３０】
ディスプレイ用筐体１６には光源すなわちＬＥＤ５４が組み込まれる。ＬＥＤ５４は、ディスプレイ用筐体１６に組み込まれるプリント基板５５上に実装される。プリント基板５５には前述の接続配線４６に基づき電流が供給される。ディスプレイ用筐体１６にはＬＥＤ５４の光路上で開口５６が形成される。開口５６はヒンジブラケット２２の開口５３に向き合わせられる。
【００３１】
ＬＥＤ５４から出力される光は開口５６からカバー３５内に進入する。光は反射面５１で反射する。凹凸形状の働きで光は反射と同時に拡散する。拡散した光は開口３６に導かれる。こうして広い範囲で光は開口３６を通過する。開口３６から携帯電話端末１１の外部空間に光は漏れ出る。
【００３２】
ここでは、例えば図１１に示されるように、２個のＬＥＤ５４が利用される。ＬＥＤ５４は第２回転軸ＲＸに同心の仮想円上に例えば中心角９０度の間隔で配置される。ＬＥＤ５４の配置に応じて開口５３や開口５６は配置される。その他、前述の携帯電話端末１１と均等な構成や構造には同一の参照符号が付される。なお、本体筐体１２、ディスプレイ用筐体１４、ヒンジブラケット２２、カバー３５およびＬＥＤ５４は本発明の電子機器用筐体アセンブリを構成する。
【００３３】
例えば閉じ状態の携帯電話端末１１ａでは、図１２に示されるように、２つの開口３６からディスプレイ用筐体１６の背面に光が漏れ出る。ディスプレイ用筐体１６が第２回転軸ＲＸ回りでヒンジブラケット２２に対して回転すると、ＬＥＤ５４は第２回転軸ＲＸ回りで変位する。一方のＬＥＤ５４は開口５３からずれる。その一方で、他方のＬＥＤ５４は一方の開口５３から他方の開口５３に移動する。その結果、図１３に示されるように、一方の開口５３すなわち開口３６から光は漏れ出る。このとき、ディスプレイ用筐体１６の姿勢変化にも拘わらず光の位置は維持される。効果的な光の演出が実現される。見映えのよい携帯電話端末１１ａが実現される。
【００３４】
図１４に示されるように、ディスプレイ用筐体１６が第２回転姿勢を確立すると、同様に一方の開口５３すなわち開口３６から光は漏れ出る。ディスプレイ用筐体１６の姿勢変化にも拘わらず光の位置は維持される。効果的な光の演出が実現される。見映えのよい携帯電話端末１１ａが実現される。
【００３５】
こうした携帯電話端末１１ａでは、カバー３５に基づき開口５３から開口３６まで光路５２が確立される。その結果、ＬＥＤ５４は、開口５３に向き合わせられる位置でディスプレイ用筐体１６上に配置されれば足りる。ヒンジブラケット２２内にＬＥＤ５４が配置される必要はない。ヒンジブラケット２２内でＬＥＤ５４の配置スペースは省略される。ヒンジブラケット２２内でスペースは有効に利用されることができる。しかも、ヒンジブラケット２２の形状はこれまで以上に自由に設計されることができる。
【００３６】
以上の携帯電話端末１１ａでは、例えば図１５に示されるように、第２回転軸ＲＸに同心の仮想円上に例えば中心角９０度の間隔で４個のＬＥＤ５４が配置されてもよい。こういったＬＥＤ５４の配置によれば、ディスプレイ用筐体１６が第１回転姿勢および第２回転姿勢のいずれの姿勢を確立しても、両方の開口５３すなわち両方の開口３６から光が漏れ出る。ディスプレイ用筐体１６の姿勢変化にも拘わらず光の位置は維持される。効果的な光の演出が実現される。見映えのよい携帯電話端末１１ａが実現される。
【００３７】
図１６は本発明の第３実施形態に係る携帯電話端末１１ｂの構造を概略的に示す。この携帯電話端末１１ｂでは、ＬＥＤ５４の光路５２上に光拡散部材５７が配置される。光拡散部材５７はディスプレイ用筐体１６の開口５６内に嵌め込まれればよい。図１５に示されるように、光拡散部材５７は、ＬＥＤ５４に向き合わせられる端面に複数列の盛り上がり５８を区画する。盛り上がり５８同士は相互に平行に延びればよい。その他、前述の携帯電話端末１１ａと均等な構成や構造には同一の参照符号が付される。
【００３８】
こういった携帯電話端末１１ｂでは、盛り上がり５８の働きで光拡散部材５７はＬＥＤ５４の光をカバー３５に向かって均一に拡散することができる。その結果、開口３６から携帯電話端末１１ｂの外部空間に一層均一に光は漏れ出ることができる。携帯電話端末１１ｂの見映えは一層向上する。しかも、光拡散部材５７はディスプレイ用筐体１６の開口５６内に嵌め込まれる。光拡散部材５７の働きで開口５６からディスプレイ用筐体１６内に塵埃の進入は回避される。
【００３９】
その他、本発明に係る電子機器には、携帯電話端末１１、１１ａ、１１ｂの他に、例えば携帯情報端末（ＰＤＡ）やノートブックパーソナルコンピュータといったその他の電子機器が含まれることができる。
【００４０】
（付記１）  第１筐体と、第１筐体の表側平坦面に平行な第１回転軸回りで回転自在に第１筐体に連結されるヒンジブラケットと、ヒンジブラケットの表面に重ね合わせられて、第１回転軸に直交する仮想平面内で延びる第２回転軸回りで回転自在にヒンジブラケットに連結される第２筐体と、ヒンジブラケット上に配置される光源と、ヒンジブラケット上で光源の前方に配置される光拡散部材とを備えることを特徴とする電子機器用筐体アセンブリ。
【００４１】
（付記２）  第１筐体と、第１筐体の表側平坦面に平行な第１回転軸回りで回転自在に第１筐体に連結されるヒンジブラケットと、裏面でヒンジブラケットの表面に重ね合わせられて、第１回転軸に直交する仮想平面内で延びる第２回転軸回りで回転自在にヒンジブラケットに連結される第２筐体と、ヒンジブラケットに形成されて、第２筐体の裏面に向き合わせられる第１開口から、第２筐体の裏面から直立する壁面に区画される第２開口まで延びる光路と、第１開口に向き合わせられる位置で第２筐体上に配置される光源とを備えることを特徴とする電子機器用筐体アセンブリ。
【００４２】
（付記３）  付記２に記載の電子機器用筐体アセンブリにおいて、前記光路内に配置されて、第１開口から第２開口に向かって光を反射させる反射面をさらに備えることを特徴とする電子機器用筐体アセンブリ。
【００４３】
（付記４）  付記３に記載の電子機器用筐体アセンブリにおいて、前記反射面には凹凸形状が形成されることを特徴とする電子機器用筐体アセンブリ。
【００４４】
（付記５）  付記２に記載の電子機器用筐体アセンブリにおいて、前記光源の光路上で前記第２筐体に固定されて、表面に複数列の盛り上がりを有する光拡散部材をさらに備えることを特徴とする電子機器用筐体アセンブリ。
【００４５】
（付記６）  付記２に記載の電子機器用筐体アセンブリにおいて、前記第２回転軸に同心の仮想円上に複数個の前記光源が配置されることを特徴とする電子機器用筐体アセンブリ。
【００４６】
（付記７）  付記２に記載の電子機器用筐体アセンブリにおいて、前記第２回転軸に同心の仮想円上に複数個の前記第１開口が配置されることを特徴とする電子機器用筐体アセンブリ。
【００４７】
（付記８）  付記２に記載の電子機器用筐体アセンブリにおいて、前記仮想円上に所定の中心角おきに複数個の前記光源が配置され、前記仮想円上に当該所定の中心角おきに複数個の前記第１開口が配置されることを特徴とする電子機器用筐体アセンブリ。
【００４８】
（付記９）  第１筐体と、第１筐体の表側平坦面に平行な第１回転軸回りで回転自在に第１筐体に連結されるヒンジブラケットと、ヒンジブラケットの表面に重ね合わせられて、第１回転軸に直交する仮想平面内で延びる第２回転軸回りで回転自在にヒンジブラケットに連結される第２筐体と、ヒンジブラケット上に配置される光源と、ヒンジブラケット上で光源の前方に配置される光拡散部材とを備えることを特徴とする電子機器。
【００４９】
（付記１０）  第１筐体と、第１筐体の表側平坦面に平行な第１回転軸回りで回転自在に第１筐体に連結されるヒンジブラケットと、裏面でヒンジブラケットの表面に重ね合わせられて、第１回転軸に直交する仮想平面内で延びる第２回転軸回りで回転自在にヒンジブラケットに連結される第２筐体と、ヒンジブラケットに形成されて、第２筐体の裏面に向き合わせられる第１開口から、第２筐体の裏面から直立する壁面に区画される第２開口まで延びる光路と、第１開口に向き合わせられる位置で第２筐体上に配置される光源とを備えることを特徴とする電子機器。
【００５０】
（付記１１）  付記１０に記載の電子機器において、前記光路内に配置されて、第１開口から第２開口に向かって光を反射させる反射面をさらに備えることを特徴とする電子機器。
【００５１】
（付記１２）  付記１１に記載の電子機器において、前記反射面には凹凸形状が形成されることを特徴とする電子機器。
【００５２】
（付記１３）  付記１０に記載の電子機器において、前記光源の光路上で前記第２筐体に固定されて、表面に複数列の盛り上がりを有する光拡散部材をさらに備えることを特徴とする電子機器。
【００５３】
（付記１４）  付記１０に記載の電子機器において、前記第２回転軸に同心の仮想円上に複数個の前記光源が配置されることを特徴とする電子機器。
【００５４】
（付記１５）  付記１０に記載の電子機器において、前記第２回転軸に同心の仮想円上に複数個の前記第１開口が配置されることを特徴とする電子機器。
【００５５】
（付記１６）  付記１０に記載の電子機器において、前記仮想円上に所定の中心角おきに複数個の前記光源が配置され、前記仮想円上に当該所定の中心角おきに複数個の前記第１開口が配置されることを特徴とする電子機器。
【図面の簡単な説明】
【００５６】
【図１】本発明に係る電子機器の一具体例すなわち携帯電話端末の外観を概略的に示す斜視図である。
【図２】第１回転姿勢が確立される様子を概略的に示す正面図である。
【図３】第２回転姿勢が確立される様子を概略的に示す正面図である。
【図４】ディスプレイ用筐体の構造を概略的に示す背面図である。
【図５】ヒンジブラケットの構造を概略的に示す斜視図である。
【図６】ブラケット本体の裏面から観察される様子を概略的に示す背面図である。
【図７】閉じ状態で光が開口から光が漏れ出る様子を概略的に示す平面図である。
【図８】閉じ状態および第２回転姿勢で光が開口から光が漏れ出る様子を概略的に示す平面図である。
【図９】本発明の第２実施形態に係る電子機器の構造を概略的に示す背面図である。
【図１０】図９の１０−１０線に沿った断面図である。
【図１１】光源の位置を概略的に示すディスプレイ用筐体の背面図である。
【図１２】閉じ状態で光が開口から光が漏れ出る様子を概略的に示す平面図である。
【図１３】閉じ状態および第１回転姿勢で光が開口から光が漏れ出る様子を概略的に示す平面図である
【図１４】閉じ状態および第２回転姿勢で光が開口から光が漏れ出る様子を概略的に示す平面図である
【図１５】光源の位置を概略的に示すディスプレイ用筐体の背面図である。
【図１６】本発明の第３実施形態に係る電子機器の構造を概略的に示す断面図である。
【図１７】光拡散部材の構造を概略的に示す斜視図である。
【符号の説明】
【００５７】
１１  電子機器（携帯電話端末）、１４  第１筐体（本体筐体）、１６  第２筐体（ディスプレイ用筐体）、２２  ヒンジブラケット、３６  第１開口、４３  光源（発光ダイオード）、４４  光拡散部材、５１  反射面、５２  光路、５３  第２開口、５４  光源、５７  光拡散部材、５８  盛り上がり、ＨＸ  第１回転軸、ＲＸ  第２回転軸。
【図１】
2008153860.tif 000003
【図２】
2008153860.tif 000004
【図３】
2008153860.tif 000005
【図４】
2008153860.tif 000006
【図５】
2008153860.tif 000007
【図６】
2008153860.tif 000008
【図７】
2008153860.tif 000009
【図８】
2008153860.tif 000010
【図９】
2008153860.tif 000011
【図１０】
2008153860.tif 000012
【図１１】
2008153860.tif 000013
【図１２】
2008153860.tif 000014
【図１３】
2008153860.tif 000015
【図１４】
2008153860.tif 000016
【図１５】
2008153860.tif 000017
【図１６】
2008153860.tif 000018
【図１７】
2008153860.tif 000019